(57)【特許請求の範囲】
【請求項１】
第１可動部材と、この第１可動部材に移動自在に設けられた第２可動部材と、これら第１，第２可動部材を移動させる動力を発生するアクチュエータとを備えた可動役物装置を装備したパチンコ遊技機において、
前記可動役物装置は、
前記動力を前記第１可動部材に伝達可能で且つ前記第１可動部材を移動させる第１移動機構と、
前記動力を前記第２可動部材に伝達可能で且つ前記第１可動部材に対して前記第２可動部材を相対的に移動させる第２移動機構と、
前記第１可動部材の移動時に前記第１可動部材に対する前記第２可動部材の移動を無効にする第１移動無効機構と、
前記第２可動部材の移動時に前記第１可動部材の移動を無効にする第２移動無効機構とを備え、
前記第１移動機構が第１ギヤ列を有し、前記第２移動機構が前記第１ギヤ列から分岐する第２ギヤ列を有することを特徴とするパチンコ遊技機。
【請求項２】
前記第１可動部材の前記移動が回動であり、前記第２可動部材の前記移動が伸縮であることを特徴とする請求項１に記載のパチンコ遊技機。
【請求項３】
前記第１移動無効機構は、前記第２ギヤ列の一部のギヤ間の前記動力の伝達を不能にすることを特徴とする請求項１又は２に記載のパチンコ遊技機。
【請求項４】
前記第２移動無効機構は、前記第１ギヤ列から前記第１可動部材への前記動力の伝達を不能にすることを特徴とする請求項１〜３の何れか１項に記載のパチンコ遊技機。
【発明の詳細な説明】
【技術分野】
【０００１】
本発明はパチンコ遊技機に関し、特に、第１，第２可動部材の駆動源を共通にして、第１可動部材の移動時には第１可動部材に対する第２可動部材の移動を禁止し、第２可動部材の移動時には第１可動部材の移動を禁止する可動役物装置に関する。
【背景技術】
【０００２】
従来、パチンコ遊技機に装備された遊技演出用の可動役物装置は、ベース部材に移動自在に設けられた可動部材と、この可動部材を移動させる電動モータを有する移動駆動機構とを備えている。この移動駆動機構にギヤ列を採用したものは公知である。
【０００３】
ところで、パチンコ遊技機の可動役物装置において、演出効果を高め得る動作を実現するために、第１可動部材を移動（回動）させ、この第１可動部材に対して第２可動部材を移動（伸縮）させる技術が公知である（例えば、特許文献１参照）。
【０００４】
特許文献１の可動役物装置では、電動モータから第１可動部材にギヤ列を介して動力が伝達され、第１可動部材が回動する。第１可動部材には第２可動部材が伸縮自在に装着され、第１可動部材の回動軸にはセクターギヤが回動自在に支持されている。第１可動部材には一体的に結合された第１，第２ピニオンが装着され、第１ピニオンがセクターギヤに噛合し、第２ピニオンが第２可動部材に形成されたラックに噛合している。
【０００５】
第１可動部材が回動する際に、セクターギヤが第１可動部材と一体的に回動する状態と回動しない状態とに切換えられる。第１可動部材が回動する際、第１可動部材とセクターギヤが一体的に回動すると、第１，第２ピニオンが回転しないため、第２可動部材が伸縮せずに第１可動部材と一体的に回動する。一方、第１可動部材が回動する際、第１可動部材とセクターギヤが相対的に回動すると、第１，第２ピニオンが回転するため、第２可動部材が伸縮しながら第１可動部材と共に回動する。
【先行技術文献】
【特許文献】
【０００６】
【特許文献１】特開２０１０−２８４４２７号公報
【発明の概要】
【発明が解決しようとする課題】
【０００７】
従来の可動役物装置において、第１可動部材を移動させ、この第１可動部材に対して第２可動部材を移動させるものでは、第１可動部材の駆動源と第２可動部材の駆動源とを独立に設けて実現することができるが、第１，第２可動部材を移動させる制御が複雑になり、更に、製作コストが高価になる。
【０００８】
一方、特許文献１の可動役物装置では、第１可動部材を回動させ、且つ第２可動部材を伸縮させる動力を共通の電動モータで発生させるが、第２可動部材が伸縮する場合にも伸縮しない場合にも、第１可動部材は回動する。つまり、第２可動部材は伸縮しながら回動することになり、第２可動部材を回動させずに伸縮だけさせることは不可能である。第１可動部材が回動する際に、セクターギヤが第１可動部材と一体的に回動する状態と回動しない状態とに切換える構造も複雑であり、作動信頼性の面でも問題がある。
【０００９】
本発明の目的は、第１，第２可動部材の駆動源を共通にして、第１可動部材の移動時には第１可動部材に対する第２可動部材の移動を禁止し、第２可動部材の移動時には第１可動部材の移動を禁止する可動役物装置を装備したパチンコ遊技機を提供することである。
【課題を解決するための手段】
【００１０】
請求項１の発明（パチンコ遊技機）は、第１可動部材(11)と、この第１可動部材(11)に移動自在に設けられた第２可動部材(12)と、これら第１，第２可動部材(11,12) を移動させる動力を発生するアクチュエータ(14)とを備えた可動役物装置(5) を装備したパチンコ遊技機(1) において、前記可動役物装置(5) は、前記動力を前記第１可動部材(11)に伝達可能で且つ前記第１可動部材(11)を移動させる第１移動機構(15)と、前記動力を前記第２可動部材(12)に伝達可能で且つ前記第１可動部材(11)に対して前記第２可動部材(12)を相対的に移動させる第２移動機構(16)と、前記第１可動部材(11)の移動時に前記第１可動部材(11)に対する前記第２可動部材(12)の移動を無効にする第１移動無効機構(17)と、前記第２可動部材(12)の移動時に前記第１可動部材(11)の移動を無効にする第２移動無効機構(18)とを備え、前記第１移動機構(15)が第１ギヤ列(20)を有し、前記第２移動機構(16)が前記第１ギヤ列(20)から分岐する第２ギヤ列(30)を有することを特徴としている。
【００１２】
請求項２の発明は、請求項１において、前記第１可動部材(11)の前記移動が回動であり、前記第２可動部材(12)の前記移動が伸縮であることを特徴としている。
【００１３】
請求項３の発明は、請求項１又は２において、前記第１移動無効機構(17)は、前記第２ギヤ列(30)の一部のギヤ(31,32) 間の前記動力の伝達を不能にすることを特徴としている。
【００１５】
請求項４の発明は、請求項１〜３の何れか１項において、前記第２移動無効機構(18)は、前記第１ギヤ列(20)から前記第１可動部材(11)への前記動力の伝達を不能にすることを特徴としている。
【発明の効果】
【００１８】
本発明（パチンコ遊技機）によれば、可動役物装置において、第１，第２可動部材の駆動源を共通にして、第１可動部材の移動時には第１可動部材に対する第２可動部材の移動を禁止し、第２可動部材の移動時には第１可動部材の移動を禁止するように、第１，第２可動部材を動作させることができる。
【図面の簡単な説明】
【００１９】
【図１】可動役物装置（演出部材が待機位置）を装備した遊技盤の正面図である。
【図２】可動役物装置（演出部材が第１作動位置）を装備した遊技盤の正面図である。
【図３】可動役物装置（演出部材が第２作動位置）を装備した遊技盤の正面図である。
【図４】可動役物装置の前側からの斜視図である。
【図５】可動役物装置の演出部材を省略した図４相当図である。
【図６】可動役物装置の演出部材と第１可動部材等を省略した図４相当図である。
【図７】図５の可動役物装置の後側からの斜視図である。
【図８】第１，第２可動部材等の前側からの斜視図である。
【図９】図８の第１，第２可動部材等の後側からの斜視図である。
【図１０】可動役物装置の２重ギヤの分解斜視図である。
【図１１】図１０の２重ギヤの正面図である。
【図１２】可動役物装置（演出部材が待機位置）の駆動系の正面図である。
【図１３】図１１の可動役物装置の駆動系の後面図である。
【図１４】可動役物装置（演出部材が第１作動位置）の駆動系の正面図である。
【図１５】可動役物装置（演出部材が第２作動位置）の駆動系の正面図である。
【発明を実施するための形態】
【００２０】
以下、発明の実施の形態について実施例に基づいて説明する。
【実施例】
【００２１】
図１〜図３に示すように、パチンコ遊技機１には遊技盤２が設けられ、この遊技盤２とその前側の透明板（図示略）との間に、球発射部（図示略）で発射された遊技球がガイドレール２ｇにより導入される遊技領域２ａが形成されている。遊技盤２には遊技領域２ａに配置された多数の障害釘（図示略）や各種入賞口（始動口２ｂ，２ｃ、ゲート２ｄ、大入賞口２ｅ、一般入賞口２ｆ等）を形成する種々の遊技部品が取付けられている。遊技球が始動口２ｂ，２ｃに入賞した場合、大当り抽選が行われ、その大当り抽選で当選した場合、大当りとなって通常は閉塞の大入賞口２ｅが開放される。
【００２２】
遊技盤２にはセンタ役物３が取付けられ、このセンタ役物３に遊技演出用の画像表示器４及び本案特有の可動役物装置５が装備されている。センタ役物３は遊技盤２に大きく形成されたセンタ開口部（図示略）に嵌合装着されたセンタ枠体３ａを有し、画像表示器４はその画面をパチンコ遊技機１の前側からセンタ枠体３ａの内側を通して視認できるように配置されている。画像表示器４には、始動口２ｂ，２ｃへの遊技球の入賞に基づいて行われる大当抽選を演出するために、複数の演出図柄が変動後停止するように表示されるとともに各種動画が表示され、また、大当り中にも大当り演出用の各種動画が表示される。
【００２３】
可動役物装置５は、センタ役物３の右側部分に配設され、例えば、大当り抽選に関する報知（例えば、大当り抽選での当選、或いは当選期待度が高い旨の報知）を行うために作動して、演出部材１３（所謂役物部材やギミック）を遊技盤２の盤面と平行方向に回動且つ伸縮させ、図１に示す待機位置と図２に示す第１作動位置と図３に示す第２作動位置とに亙って移動させる。可動役物装置５の非作動時に、演出部材１３は画像表示器４による表示の邪魔にならない待機位置に位置し、可動役物装置５の作動時に、演出部材１３は画像表示器４の前側で移動する。
【００２４】
可動役物装置５について詳しく説明する。
図４〜図１５に示すように、可動役物装置５は、ベース部材１０と、ベース部材１０に回動自在に設けられた第１可動部材１１と、第１可動部材１１に伸縮自在に設けられた第２可動部材１２と、第１，第２可動部材１１，１２に取付けられた演出部材１３と、第１，第２可動部材１１，１２の共通の駆動源（アクチュエータ）であり第１，第２可動部材１１，１２を移動（回動，伸縮）させる動力を発生する電動モータ１４とを備えている。
【００２５】
更に、可動役物装置５は、前記動力を第１可動部材１１に伝達可能な第１ギヤ列２０を有し且つ第１可動部材１１を回動させる第１移動機構１５と、第１ギヤ列２０から分岐して、つまり第１ギヤ列２０と連動連結されて前記動力を第２可動部材１２に伝達可能な第２ギヤ列３０を有し且つ第２可動部材１２を伸縮（第１可動部材１１に対して第２可動部材１２を相対的に伸縮）させる第２移動機構１６と、第１可動部材１１の回動時に第２可動部材１２の伸縮（第１可動部材１１に対する第２可動部材の伸縮）を無効にする第１移動無効機構１７と、第２可動部材１２の伸縮時に第１可動部材１１の回動を無効にする第２移動無効機構１８とを備えている。
【００２６】
ベース部材１０、第１，第２可動部材１１，１２、演出部材１３について説明する。
図４〜図７に示すように、ベース部材１０は薄板状に形成され、センタ枠体３ａの右下部の後面側に板面を前後方向に向けて配置されて、センタ役物３に固定されている。ベース部材１０には、電動モータ１４、第１ギヤ列２０、第２ギヤ列３０の上流側一部分が装着されている。ベース部材１０には開口部１０ａが形成されている。
【００２７】
図４、図５、図７〜図９に示すように、第１可動部材１１は板状に形成され、ベース部材１０の前方に板面を前後方向に向けて配置されている。第１可動部材１１は遊技盤２の盤面平行方向にある程度の長さを有し、この第１可動部材１１の基端側部分がベース部材１０の前側に所定の隙間を空けて位置している。第１可動部材１１の基端部が前後方向の支軸１１ａを介してベース部材１０に回動自在に支持されている。ベース部材１０の前面部には、支軸１１ａを中心とする円弧状のガイド溝１０ｂが設けられ、このガイド溝１０ｂには、第１可動部材１１に後方突出状に設けられたガイドピン１１ｂが摺動自在に係合している。この第１可動部材１１には第２ギヤ列３０の下流側一部分が装着されている。
【００２８】
図４〜図９に示すように、第２可動部材１２は帯板状に形成され、第１可動部材１１の前方に配置され、遊技盤２の盤面平行方向へ第１可動部材１１の長さ方向と略同一方向へ延びている。第２可動部材１２は、その長さ方向へ移動自在に第１可動部材１１にガイド支持されている。そのために、第２可動部材１２には、後方突出状の複数のガイドピン１２ａが設けられ、第１可動部材１１には、複数のガイドピン１２ａが摺動自在に係合するガイド溝１１ｃが形成され（図８参照）、複数のガイドピン１２ａは第１可動部材１１の後方に配置されたラック部材３９に結合されている。
【００２９】
図４に示すように、演出部材１３は互いに伸縮可能に連結された複数の分割演出部材を主体に構成され、演出部材１３の先端側部分が第２可動部材１２に連結され、演出部材１３の基端側部分が第１可動部材１１に連結されている。つまり、第２可動部材１２が伸縮することにより、演出部材１３（複数の分割演出部材）が伸縮される。
【００３０】
電動モータ１４、第１，第２移動機構１５，１６について説明する。
図４、図５、図７に示すように、電動モータ１４は、ベース部材１０の右上部の前面部に後向きに取付けられている。電動モータ１４のモータ出力軸１４ａはベース部材１０の後側へ突出し、このモータ出力軸１４ａに第１ギヤ列２０の上流端の最初のギヤ２１（出力ギヤ２１）が固着されている。
【００３１】
図７、図１２〜図１５に示すように、第１移動機構１５は、前記第１ギヤ列２０と、第１ギヤ列２０の下流側に配設されたカム機構２５とを有し、この第１ギヤ列２０とカム機構２５とで一連の第１動力伝達機構を構成している。第１ギヤ列２０は連動連結された４つのギヤ２１〜２４を有し、上流端の最初のギヤ２１以外の３つのギヤ２２〜２４は、ベース部材１０の後面部に夫々前後軸心回りに回転自在に支持されている。第１ギヤ列２０の下流端の最終のギヤ２４はベース部材１０の右下部に位置している。
【００３２】
カム機構２５は、第１可動部材１１に設けられたボス部２７（係合部２７）と、第１ギヤ列２０の最終のギヤ２４に設けられ、この最終のギヤ２４の回動時に第１可動部材１１が回動可能にボス部２７に係合するカム溝２８とを有する。最終のギヤ２４にはカム部材２６が一体的に設けられ、このカム部材２６にカム溝２８が形成されている。カム部材２６は第１可動部材１１の後方に位置し、ボス部２７はカム溝２８に係合可能に第１可動部材１１に後方突出状にベース部材１０の後方まで延びるように設けられている。そのために、ベース部材１０には、支軸１１ａを中心とする円弧状のスリット１０ｃ（図６参照）が形成され、そのスリット１０ｃをボス部２７が貫通している。
【００３３】
このカム機構２５では、ボス部２７がカム溝２８に係合した状態で、カム部材２６が図１２、図１３の矢印ｂ１の方向へ回動した場合、カム溝２８の一端縁２８ａがボス部２７を押動して、第１可動部材１１を図１２、図１３の矢印ｃ１の方向へ回動させる。或いは、第１，第２可動部材１１，１２等の重力により、カム溝２８の他端縁２８ｂに引っ掛かった状態のボス部２７を同他端縁２８ｂを滑らせて、第１可動部材１１を図１２、図１３の矢印ｃ１の方向へ回動させる。
【００３４】
ボス部２７がカム溝２８に係合した状態で、カム部材２６が図１４の矢印ｂ２の方向へ回動した場合、カム溝２８の他端縁２８ｂがボス部２７を押動して、第１可動部材１１を第１，第２可動部材１１，１２等の重力に抗して図１４の矢印ｃ２の方向へ回動させる。上記動作を達成するためにボス部２７及びカム溝２８の配置・形状が設定されている。
【００３５】
図６〜図１５に示すように、第２移動機構１６は、前記第２ギヤ列３０と、第２ギヤ列３０の下流側に配設されたラックピニオン機構３８とを有し、この第２ギヤ列３０とラックピニオン機構３８とで一連の第２動力伝達機構を構成している。第２ギヤ列３０は７つのギヤ３１〜３７を有し、この第２ギヤ列３０の上流端の最初のギヤ３１が第１ギヤ列２０の２番目のギヤ２２に噛合している。
【００３６】
第２ギヤ列３０の２つのギヤ３１，３２は、同径のセクターギヤ３１，３２からなり、ベース部材１０に夫々前後軸心回りに回転自在に支持されている。これら２つのギヤ３１，３２が、同心状に且つ相対回転可能に前後に隣接状に配設された２重ギヤ３１，３２からなり、ベース部材１０に形成された開口１０ａを介して、後側に位置するギヤ３１がベース部材１０の後方へ臨み、前側に位置するギヤ３２がベース部材１０の前方へ臨んでいる。この２重ギヤ３１，３２が、第１移動無効機構１７を介してギヤ３１，３２間の動力の伝達を可能にする状態と動力の伝達を不能にする状態とに択一的に切換えられる。
【００３７】
残り５つのギヤ３３〜３７は、第１可動部材１１の後面部に夫々前後軸心回りに回動自在に支持されている。ギヤ３３，３４は、前後に配置され且つ一体的に結合された異径の２重セクターギヤ３３，３４からなり、支軸１１ａを介して枢支されている。後側に位置する小径のギヤ３３がギヤ３２に噛合している。ギヤ３３，３４とボス部２７とが相互干渉しないように、ギヤ３３，３４にはボス部２７が嵌合し得る切欠部３３ａが支軸１１ａを中心とする円弧状に形成されている。
【００３８】
ギヤ３５，３６は、前後に配置され且つ一体的に結合された異径の２重ギヤ３５，３６からなり、後側に位置する小径のギヤ３５がギヤ３４に噛合している。ギヤ３７は、ギヤ３６に噛合するとともに、ラックピニオン機構３８のピニオン３７を構成している。ラックピニオン機構３８は、前記ピニオン３７と、このピニオン３７が噛合するように第２可動部材１２に連結さされた前記ラック部材３９に形成されたラック３９ａとを有する。
【００３９】
第１，第２移動無効機構１７，１８について説明する。
図１０〜図１５に示すように、第１移動無効機構１７は、第２ギヤ列３０の一部のギヤである２重ギヤ３１，３２間の動力の伝達を不能にし、そのために、２重ギヤ３１，３２の後側に位置する一方のギヤ３１に前方突出状に設けられた係合ピン４０と、２重ギヤ３１，３２の前側に位置する他方のギヤ３２に設けられ係合ピン４０が係合して２重ギヤ３１，３２の一方のギヤ３１を空回りさせる円弧溝４１とを有する。円弧溝４１は、ギヤ３２にその前後軸心を中心に約１００度に亙って形成されている。
【００４０】
ギヤ３１が図１１〜図１３の矢印ｄ１の方向へ回動した場合、ギヤ３１と一体的に回動する係合ピン４０が円弧溝４１の一端部４１ａに係合しない状態で、ギヤ３１が空回りして、ギヤ３１からギヤ３２に動力は伝達されない。係合ピン４０が円弧溝４１の一端部４１ａに係合した状態では、ギヤ３１からギヤ３２に動力が伝達され、ギヤ３１，３２が図１１、図１４の矢印ｄ１の方向へ一体的に回動する。
【００４１】
一方、ギヤ３１が図１１、図１５の矢印ｄ２の方向へ回動した場合、ギヤ３１と一体的に回動する係合ピン４０が円弧溝４１の他端部４１ｂに係合しない状態で、ギヤ３１が空回りして、ギヤ３１からギヤ３２に動力は伝達されない。係合ピン４０が円弧溝４１の他端部４１ｂに係合した状態では、ギヤ３１からギヤ３２に動力が伝達されるため、ギヤ３１，３２が図１１、図１４の矢印ｄ２の方向へ一体的に回動する。
【００４２】
図７、図１２〜図１５に示すように、第２移動無効機構１８は、第１ギヤ列２０から第１可動部材１１への動力の伝達を不能にし、そのために、前記ボス部２７と、第１ギヤ列２０の最終のギヤ２４にカム溝２８に連通するように設けられ、ボス部２７に係合して最終のギヤ２４を空回りさせる円弧溝５０を有する。円弧溝５０は、カム部材２６に最終のギヤ２４の前後軸心を中心に約９０度に亙って形成されている。
【００４３】
尚、可動役物装置５の制御系には、第１可動部材１１の原点位置を検出する第１原点検出センサ６０と、第２可動部材１２の原点位置を検出する第２原点検出センサ（図示略）とが設けられ、この第１，第２原点検出センサで検出された原点位置に基づいて電動モータ１４が制御される。第１原点検出センサ６０は第１可動部材１１に設けられた遮蔽部を、また、第２原点検出センサは第２可動部材１２に設けられた遮蔽部（図示略）を、夫々検出可能な光学センサ（フォトインタラプタ）である。
【００４４】
次に、可動役物装置５の作用・効果について説明する。
演出部材１３が図１に示す待機位置のとき、つまり、可動役物装置５の駆動系が図１２、図１３に示す状態において、第１可動部材１１のボス部２７が第１ギヤ列２０のギヤ２４のカム溝２８に係合し、また、第２ギヤ列３０のギヤ３１の係合ピン４０がギヤ３２の円弧溝４１の他端部４１ｂ又はその近傍に係合している。尚、複数のギヤ２１〜２４，３１〜３７、及びラック３９ａの前記噛合関係は常時維持される。
【００４５】
先ず、図１２、図１３に示す状態から、電動モータ１４によりギヤ２１が矢印ａ１の方向へ回転されると、第１ギヤ列２０のギヤ２４が矢印ｂ１の方向へ回動される。これにより、ボス部２７とカム溝２８を有するカム機構２５により、第１可動部材１１が第２可動部材１２と共に矢印ｃ１の方向へ回動される。こうして、演出部材１３が図２に示す第１作動位置へ移動し、可動役物装置５の駆動系が図１４に示す状態になる。ここで、第１可動部材１１は何らかのストッパにより矢印ｃ１の方向へは回動不能に維持され、また、ボス部２７にギヤ２４の円弧溝５０が係合した状態になる。
【００４６】
演出部材１３が図１に示す待機位置から図２に示す第１作動位置へ移動する間、ギヤ２１が矢印ａ１の方向へ回転されることで、第２ギヤ列３０のギヤ３１は矢印ｄ１の方向へ回動される。更に、第１可動部材１１が第２ギヤ列３０のギヤ３３〜３７と一体的に回動されることから、そして、ギヤ３３〜３７自体は回動（自転）しないため、第２ギヤ列３０のギヤ３２は矢印ｄ２の方向へ回動される。その際、ギヤ３１の係合ピン４０はギヤ３２の円弧溝４１の一端部４１ａには係合しないため、ギヤ３１，３２は互いに空回りして、ギヤ３１，３２間の動力伝達が無効にされる。
【００４７】
次に、図１４に示す状態から、電動モータ１４によりギヤ２１が矢印ａ１の方向へ更に回転されると、第１ギヤ列２０のギヤ２４も矢印ｂ１の方向へ回動されるが、ギヤ２４の円弧溝５０がボス部２７に係合しているため、ギヤ２４がボス部２７に対して空回りして、ギヤ２４とボス部２７間の動力伝達が無効にされる。つまり、第１可動部材１１は第１作動位置における位置に保持される。
【００４８】
一方、ギヤ２１が矢印ａ１の方向へ回転され、これにより、第２ギヤ列３０のギヤ３１が矢印ｄ１の方向へ回動されることで、ギヤ３１の係合ピン４０がギヤ３２の円弧溝４１の一端部４１ａに係合して、ギヤ３１，３２が矢印ｄ１の方向へ一体的に回動される。すると、第２ギヤ列３０のピニオン３７が矢印ｅ１の方向へ回動され、このピニオン３７とラック３９ａを有するラックピニオン機構３８により、第２可動部材１２が矢印ｆ１の方向へ進出される。こうして、演出部材１３が図３に示す第２作動位置へ移動し、可動役物装置５の駆動系が図１５に示す状態になる。
【００４９】
尚、演出部材１３が図３に示す第２作動位置、つまり、図１５に示す状態から、電動モータ１４によりギヤ２１が矢印ａ２の方向へ回転されると、第１ギヤ列２０のギヤ２４が矢印ｂ２の方向へ回動され、第２ギヤ列３０のギヤ３１が矢印ｄ２で示し方向へ回動され、上記動作と略逆動作となるように、先ず、第２可動部材１２が矢印ｆ２の方向へ縮退されて、演出部材１３が図２に示す第１作動位置、つまり、図１４に示す状態になり、その後、第１，第２可動部材１１，１２がｃ２の方向へ回動され、演出部材１３が図１に示す待機位置、つまり、図１２、図１３に示す状態になる。
【００５０】
この可動役物装置５によれば次の効果を奏する。
第１，第２可動部材１１，１２の動力を発生する電動モータ１４を設け、前記動力を第１可動部材１１に伝達可能で且つ第１可動部材１１を回動させる第１移動機構１５と、前記動力を第２可動部材１２に伝達可能で且つ第１可動部材１１に対して第２可動部材１２を相対的に伸縮させる第２移動機構１６と、第１可動部材１１の回動時に第１可動部材１１に対する第２可動部材１２の伸縮を無効にする第１移動無効機構１７と、第２可動部材１２の伸縮時に第１可動部材１１の回動を無効にする第２移動無効機構１８とを設けた。
【００５１】
つまり、第１，第２可動部材１１，１２の駆動源を共通にして、第１，第２移動機構１５，１６を設けるとともに、第１，第２移動無効機構１７，１８を設けたので、第１可動部材１１の回動時には第１可動部材１１に対する第２可動部材１２の伸縮を禁止し、第２可動部材１２の伸縮時には第１可動部材１１の回動を禁止するように、第１，第２可動部材１１，１２を動作させることができる。
【００５２】
第１，第２可動部材１１，１２を所定の回動位置に位置させた状態で、第２可動部材１１の伸縮動作を単独で実行させることができるため、第１，第２可動部材１１，１２の駆動源を共通にしたことによる課題を解決して、第１，第２可動部材１１，１２の斬新で且つ演出効果を高め得る動作を実現することができる。更に、第１，第２可動部材１１，１２の駆動源を共通にできることから、第１，第２可動部材１１，１２を移動させる制御を簡単化し、製作コストを低減することが可能になる。
【００５３】
第１移動機構１５が第１ギヤ列２０を有し、第２移動機構１６が第１ギヤ列２０から分岐する第２ギヤ列３０を有するので、第１，第２可動部材１１，１２の駆動源を共通にして、前記動力を第１，第２可動部材１１，１２に確実に伝達することができる。
【００５４】
第１移動無効機構１７は、第２ギヤ列３０の一部のギヤ３１，３２間の前記動力の伝達を不能にするので、このギヤ３１，３２間の連結に細工を施して、第１可動部材１１の回動時にギヤ３１，３２間の前記動力の伝達を不能にする構造を設けることができる。
【００５５】
ギヤ３１，３２が同心状に且つ相対回転可能に隣接状に配設された２重ギヤ３１，３２からなり、第１移動無効機構１７は、一方のギヤ３１に設けられた係合ピン４０と、他方のギヤ３２に設けられ係合ピン４０が係合してギヤ３１を空回りさせる円弧溝４１とを有するので、第１可動部材１１の回動時にギヤ３１，３２間の前記動力の伝達を確実に不能にするとともに、第２可動部材１２を伸縮させる際にはギヤ３１，３２間の前記動力の伝達を可能にすることができる。
【００５６】
第２移動無効機構１８は、第１ギヤ列２０から第１可動部材１１への前記動力の伝達を不能にするので、この第１ギヤ列２０と第１可動部材１１間の連結に細工を施して、第２可動部材１２の伸縮時に第１ギヤ列２０と第１可動部材１１間の前記動力の伝達を不能にする構造を設けることができる。
【００５７】
第１移動機構１５は、第１可動部材１１に設けられたボス部２７と、第１ギヤ列２０の最終のギヤ２４に設けられ、この最終のギヤ２４の回動時に第１可動部材１１が回動可能にボス部２７に係合するカム溝２８とを有するので、第１可動部材１１を確実に回動させることができる。
【００５８】
第２移動無効機構１８は、第１ギヤ列２０の最終のギヤ２４にカム溝２８に連通するように設けられ、ボス部２７に係合して最終のギヤ２４を空回りさせる円弧溝５０を有するので、第２可動部材１２の伸縮時にボス部２７に円弧溝５０を係合させて、ボス部２７とギヤ２４間の前記動力の伝達を確実に不能にするとともに、第１可動部材１１を回動させる際には、ボス部２７をカム溝２８に係合させて、ボス部２７とギヤ２４間の前記動力の伝達を可能にすることができるが、このボス部２７に係合させるカム溝２８と円弧溝５０との切換えを簡単に確実に行うことができる。
【００５９】
尚、前記実施例を部分的に次のように変更してもよい。
（１）電動モータ１４の代わりに、ソレノイドアクチュエータ等の種々のアクチュエータを採用可能である。
（２）第１可動部材１１については回動以外の移動を実現させ、また、第２可動部材１２については伸縮以外の移動を実現させるようにしてもよい。
【００６０】
（３）第１移動無効機構１７において、２重ギヤ３１，３２のうち、ギヤ３２に係合ピンを設け、この係合ピンに係合する円弧溝をギヤ３１に設けて、ギヤ３１をギヤ３２に対して空回りさせるようにしてもよい。
（４）第１可動部材１１を回動方向一方側へ付勢するバネ部材、また、第２可動部材の伸縮方向一方側へ付勢するバネ部材を設けてもよい。
【００６１】
（５）その他、本発明の趣旨を逸脱しない範囲において、前記開示事項以外の種々の変更を付加して実施可能である。例えば、演出部材１３を画像表示器４の前側以外の空間において移動させるように構成することもできる。また、本発明の可動役物装置は、種々のパチンコ遊技機に適用することが可能である。
【符号の説明】
【００６２】
１  パチンコ遊技機
５  可動役物装置
１０  ベース部材
１１  第１可動部材
１２  第２可動部材
１４  電動モータ
１５  第１移動機構
１６  第２移動機構
１７  第１移動無効機構
１８  第２移動無効機構
２０  第１ギヤ列
２１〜２４  ギヤ
２７  ボス部
２８  カム溝
３０  第２ギヤ列
３１〜３７  ギヤ
４０  係合ピン
４１  円弧溝
５０  円弧溝
【図１】
0005149420.tif 000002
【図２】
0005149420.tif 000003
【図３】
0005149420.tif 000004
【図４】
0005149420.tif 000005
【図５】
0005149420.tif 000006
【図６】
0005149420.tif 000007
【図７】
0005149420.tif 000008
【図８】
0005149420.tif 000009
【図９】
0005149420.tif 000010
【図１０】
0005149420.tif 000011
【図１１】
0005149420.tif 000012
【図１２】
0005149420.tif 000013
【図１３】
0005149420.tif 000014
【図１４】
0005149420.tif 000015
【図１５】
0005149420.tif 000016